(57)【要約】ＭＢＭＳセッションが継続していない隣接セルの再選択によるＭＢＭＳセッション受信中のサービスの途切れを最小限にするシステム及び方法を提供する。移動局（ＭＳ）は、ターゲットセル及びＭＢＭＳサービスＩＤ（すなわち、ＢＳＩＣ、隣接セルインデックス及び一時的なＭＢＭＳグループＩＤ（ＴＭＧＩ））をネットワークに示す。このことは、この情報をＲＬＣ／ＭＡＣメッセージ例えばパケットダウンリンクＡＣＫ／ＮＡＣＫ内に入れて、または、新たなメッセージを用いてネットワークに送信することによって達成される。ネットワークが割り当てできるリソースを有する場合、ネットワークは、ＭＳによって示されたＭＢＭＳセッションに対してリソースを割り当て、パケットダウンリンクＡＣＫ／ＮＡＣＫまたは新たなメッセージを受信の際、対応のＭＢＭＳ隣接セル情報をＭＳに送信することができる。次に、ＭＳがＭＢＭＳ隣接セル情報を受信すると、ＭＳは、ＭＢＭＳ隣接セル情報によって示されたターゲットセルを再選択する。【選択図】図１
2008514047.tif 000002
【特許請求の範囲】
【請求項１】
移動局（Mobile Station；ＭＳ）に対するマルチメディアブロードキャスト／マルチキャストサービス（Multimedia Broadcast/Multicast Service；ＭＢＭＳ）セッションはサービングセルにおいてアクティブであるが、隣接セルにおいては非アクティブである場合のセル再選択によるＭＢＭＳセッション受信中のサービスの途切れにおける途切れを最小限にする方法であって、
前記ＭＢＭＳセッションがアクティブであるセルにおいて前記ＭＢＭＳセッションを監視するステップと、
ＲＬＣ／ＭＡＣ（Radio Link Control/Medium Access Control）メッセージで、ターゲットセルのＩＤ及びＭＢＭＳサービスのＩＤを前記ＭＳから前記ネットワークに送信するステップと、
前記ＲＬＣ／ＭＡＣメッセージ内の前記ターゲットセルＩＤ及び前記ＭＢＭＳサービスＩＤに基づき、前記ターゲットセルにおいて、ＭＢＭＳセッションのためにリソースを割り当てるステップと、
前記リソースの割り当て後にＭＢＭＳ隣接セル情報を前記ネットワークから前記ＭＳに転送するステップと、
前記ＭＢＭＳ隣接セル情報の受信して、前記ＭＳに対する前記ターゲットセルを再選択するステップと
を含む方法。
【請求項２】
前記ターゲットセルＩＤが送受信基地局識別コード（ＢＳＩＣ）隣接セルインデックスである、請求項１に記載の方法。
【請求項３】
前記ＭＢＭＳサービスＩＤが一時的なＭＢＭＳグループＩＤ（ＴＭＧＩ）を含む、請求項１に記載の方法。
【請求項４】
前記ＭＢＭＳサービスＩＤが一時的なＭＢＭＳグループＩＤ（ＴＭＧＩ）及びＭＢＭＳセッションＩＤを含む、請求項１に記載の方法。
【請求項５】
前記ＭＢＭＳサービスＩＤが一時的なＭＢＭＳグループＩＤを一意的に識別する、請求項１に記載の方法。
【請求項６】
前記ＭＢＭＳサービスＩＤが一時的なＭＢＭＳグループＩＤ（ＴＭＧＩ）及びＭＢＭＳセッションＩＤを一意的に識別する、請求項１に記載の方法。
【請求項７】
前記ＲＬＣ／ＭＡＣメッセージが、前記監視されているＭＢＭＳセッションに属するＲＬＣデータブロックに対する肯定応答状態を示すパケットダウンリンクＡＣＫ／ＮＡＣＫメッセージである、請求項１に記載の方法。
【請求項８】
前記ＲＬＣ／ＭＡＣメッセージが、前記監視されているＭＢＭＳセッションに属するＲＬＣデータブロックに対する肯定応答状態を示す新たなＲＬＣ／ＭＡＣメッセージである、請求項１に記載の方法。
【請求項９】
前記ＭＢＭＳ隣接セル情報が前記ネットワークから受信されるまで前記ＭＳがセル再選択を遅延する、請求項１に記載の方法。
【請求項１０】
前記ターゲットセルにおいて前記ＭＳに割り当てるためリソースが利用できる場合に前記ネットワークがＭＢＭＳ隣接セル情報を送信する、請求項２に記載の方法。
【請求項１１】
前記ＭＳがリソースセル内に長くとどまり過ぎないようにするため、所定のパラメータが設定される、請求項９に記載の方法。
【請求項１２】
前記ＭＢＭＳ隣接セル情報が受信されないままであって、前記所定のパラメータが負の値を有する場合、前記ＭＳが通常のセル再選択を実行する、請求項１１に記載の方法。
【請求項１３】
前記ＭＢＭＳ隣接セル情報が受信されないままであって、別のセルが一定のデシベルレベルよりも高い信号レベルを有する場合、前記移動局が通常のセル再選択を実行する、請求項１１に記載の方法。
【請求項１４】
前記所定のパラメータがＣ１である、請求項１１に記載の方法。
【請求項１５】
前記所定のパラメータがＣ１である、請求項１２に記載の方法。
【請求項１６】
前記所定のパラメータがＣ１である、請求項１３に記載の方法。
【請求項１７】
Ｃ１がパス損失基準である、請求項１４に記載の方法。
【請求項１８】
隣接セルのＢＣＣＨ搬送波の信号レベルがソースセルの前記ＢＣＣＨ搬送波の前記信号レベルよりも非常に高い場合に直接セル再選択が発生することを確実にする再選択履歴が用いられる、請求項９に記載の方法。
【請求項１９】
再選択履歴を達成するため、現在のセルの前記ＢＣＣＨ搬送波の測定された信号強度にオフセット値が追加される、請求項１８に記載の方法。
【請求項２０】
移動局（ＭＳ）に対するマルチメディアブロードキャスト／マルチキャストサービス（ＭＢＭＳ）セッションはサービングセルにおいてアクティブであるが、隣接セルにおいては非アクティブである場合のセル再選択によるＭＢＭＳセッション受信中のサービスの途切れを最小限にするシステムであって、
前記ＭＢＭＳセッションがアクティブであるセルにおいて前記ＭＢＭＳセッションを監視する手段と、
ＲＬＣ／ＭＡＣメッセージで、ターゲットセルのＩＤ及びＭＢＭＳサービスのＩＤをＭＳから前記ネットワークに送信する手段と、
前記ＲＬＣ／ＭＡＣメッセージ内の前記ターゲットセルＩＤ及び前記ＭＢＭＳサービスＩＤに基づき、前記ターゲットセルにおいて、ＭＢＭＳセッションのためにリソースを割り当てる手段と、
前記リソースの割り当て後にＭＢＭＳ隣接セル情報を前記ネットワークから前記ＭＳに転送する手段と、
前記ＭＢＭＳ隣接セル情報を受信して、前記ＭＳに対する前記ターゲットセルを再選択する手段と
を含むシステム。
【請求項２１】
前記ターゲットセルＩＤが送受信基地局識別コード（ＢＳＩＣ）隣接セルインデックスである、請求項２０に記載のシステム。
【請求項２２】
前記ＭＢＭＳサービスＩＤが一時的なＭＢＭＳグループＩＤ（ＴＭＧＩ）である、請求項２０に記載のシステム。
【請求項２３】
前記ＲＬＣ／ＭＡＣメッセージがパケットダウンリンクＡＣＫ／ＮＡＣＫである、請求項２０に記載のシステム。
【請求項２４】
コンピュータ可読プログラムコードを有するコンピュータ使用可能媒体を備える、ＭＢＭＳセッション受信中のサービスの途切れを最小限にするシステムで用いるコンピュータプログラム製品であって、前記コンピュータ可読プログラムコードは、
前記ＭＢＭＳセッションがアクティブであるセルにおいて前記ＭＢＭＳセッションを監視するプログラムコードと、
ＲＬＣ／ＭＡＣメッセージで、ターゲットセルのＩＤ及びＭＢＭＳサービスのＩＤをＭＳから前記ネットワークに送信するプログラムコードと、
前記ＲＬＣ／ＭＡＣメッセージ内の前記ターゲットセルＩＤ及び前記ＭＢＭＳサービスＩＤに基づき、前記ターゲットセルにおいて、ＭＢＭＳセッションのためにリソースを割り当てるプログラムコードと、
前記リソースの割り当て後にＭＢＭＳ隣接セル情報を前記ネットワークから前記ＭＳに転送するプログラムコードと、
前記ＭＢＭＳ隣接セル情報を受信して、前記ＭＳに対する前記ターゲットセルを再選択するプログラムコードと
を含むコンピュータプログラム製品。
【請求項２５】
移動局であって、
処理ユニットと、
前記処理ユニットに接続されたメモリと、
前記処理ユニットに接続された表示装置と、
各機構が固有の機能アプリケーションを提供する複数の内部機構であって、前記移動局のハードウェア、ファームウェア及び／またはオペレーティングシステム内に配置されている複数の内部機構と、
前記処理ユニットに接続され、遠隔位置に配置されたコントローラと通信するのに適するセルラー送受信機と、
を含み、
ＲＬＣ／ＭＡＣメッセージでターゲットセルのＩＤ及びＭＢＭＳサービスのＩＤをネットワークに送信し、リソースの割り当て後にＭＢＭＳ隣接セル情報を前記ネットワークから受信し、前記ＭＢＭＳ隣接セル情報を受信してターゲットセルを再選択する移動局。
【請求項２６】
前記ターゲットセルＩＤが送受信基地局識別コード（ＢＳＩＣ）隣接セルインデックスである、請求項２５に記載の移動局。
【請求項２７】
前記ＭＢＭＳサービスＩＤが一時的なＭＢＭＳグループＩＤ（ＴＭＧＩ）である、請求項２５に記載の移動局。
【請求項２８】
前記ＲＬＣ／ＭＡＣメッセージがパケットダウンリンクＡＣＫ／ＮＡＣＫである、請求項２５に記載の移動局。
【請求項２９】
ＭＢＭＳセッションがアクティブであるセルにおいて前記ＭＢＭＳセッションを監視する手段と、
ＭＳからネットワークに送信されたＲＬＣ／ＭＡＣメッセージ内のターゲットセルＩＤ及びＭＢＭＳサービスＩＤを受信する手段と、
前記ＲＬＣ／ＭＡＣメッセージ内の前記ターゲットセルＩＤ及び前記ＭＢＭＳサービスＩＤに基づき、前記ターゲットセルにおいて、ＭＢＭＳセッションのためにリソースを割り当てる手段と、
前記リソースの割り当て後にＭＢＭＳ隣接セル情報を前記ＭＳに転送する手段と、
前記ＭＢＭＳ隣接セル情報を受信の際、前記ターゲットセルを再選択するよう前記ＭＳに命令する手段と
を含む基地局送受信機。
【請求項３０】
前記ターゲットセルＩＤが送受信基地局識別コード（ＢＳＩＣ）隣接セルインデックスである、請求項２９に記載の基地局送受信機。
【請求項３１】
前記ＭＢＭＳサービスＩＤが一時的なＭＢＭＳグループＩＤ（ＴＭＧＩ）である、請求項２９に記載の基地局送受信機。
【請求項３２】
前記ＲＬＣ／ＭＡＣメッセージがパケットダウンリンクＡＣＫ／ＮＡＣＫである、請求項２９に記載の基地局送受信機。
【発明の詳細な説明】
【技術分野】
【０００１】
本願は、２００４年９月１４日に提出した米国特許仮出願第６０／６０９，７８７号から優先権を主張する。
【０００２】
本発明は、ブロードキャストモード及びマルチキャストモード中、データを送信／受信するシステム及び方法に関し、特に、セッションが送信されている隣接セル間における情報の相互交換による信号伝達負荷を最小限にし、高いレベルの信号が発生する場合にＭＢＭＳ隣接セル情報メッセージをサービングセルに送信するために必要とされる時間を減少させる方法に関する。
【背景技術】
【０００３】
ＭＢＭＳ（Multimedia Broadcast/Multicast Service；マルチメディアブロードキャスト／マルチキャストサービス）は、データが単一ソースエンティティから、特定区域内に位置するユーザ群へ送信される単一方向ポイントツーマルチポイント（ｐ‐ｔ‐ｍ）マルチキャスト／ブロードキャストサービスである。ＭＢＭＳは、単一ソースエンティティからサービス区域内の多数のユーザへのテキスト、音声、写真または映像のようなマルチメディアデータの単一方向ｐ‐ｔ‐ｍ双方向ポイントツーポイント（ｐ‐ｔ‐ｐ）送信の選択を含むことができる。第３世代パートナーシッププロジェクト（3GPP）技術仕様（TS）22.146，「Multimedia Broadcast/Multicast Service；Stage 1」に記述されているように、ＭＢＭＳの目標は、無線マルチキャストとして無線インターフェースを介する単一送信でのｐ‐ｔ‐ｐサービスの複数インスタンスの供給を可能にすることである。所定のＭＢＭＳサービスの「サービス区域」は、これ以降、サービスを利用できる地理的な区域（すなわち、一連のセル）として理解されるべきである。
【０００４】
ＭＢＭＳは、２つのモード、すなわち、ブロードキャストモード及びマルチキャストモードを有する。これら２つのモード間の主な違いは、ブロードキャストモードにおいてサービス区域内のすべてのＭＢＭＳユーザが送信データの受信の対象となるのに対して、マルチキャストモードでは、データの受信に対してサービス区域内のＭＢＭＳユーザのサブセットのみにアドレス指定することができるということである。3GPP TS22.146，「Multimedia Broadcast/Multicast Service;Stage 1」に記述されているように、マルチキャストモードは、一般的に、サービスを受信する前にユーザがマルチキャストグループにサブすくライブするように要求する。
【０００５】
GP‐042013，「Assisted Cell Change during MBMS p‐t‐m Transmission」，シーメンス，テレコムイタリアＳ．ｐ．Ａ，ボーダフォン，3GPP TSG GERAN#21（カナダ，モントリオール）では、所定のセッションに対する隣接セル内のＭＢＭＳベアラ（ｐ‐ｔ‐ｍチャネル）についての情報をソースセルに供給するための解決策が記述されている。図１に関して、パケットブロードキャスト制御チャネル（Ｐ‐ＢＣＣＨ）情報の獲得中、または、ルーティング区域更新手続き中、移動局（ＭＳ）は、新たなセルが選択されたら直ぐにターゲットセル内でＭＢＭＳデータの受信を再開できる場合ことが好ましい。
【０００６】
ＭＢＭＳトラフィックチャネル構成及びＭＢＭＳサービスＩＤ情報は、隣接セルシステム情報をサービングセルに伝達するのに用いられる従来のパケット隣接セルデータ（ＰＮＣＤ）メッセージのような既存の無線リンク制御／メディアアクセス制御（Radio Link Control/Medium Access Control；ＲＬＣ／ＭＡＣ）メッセージを介して送信される。あるいはまた、ＭＢＭＳトラフィックチャネル構成及びＭＢＭＳサービスＩＤ情報は、ＭＢＭＳトラフィックｐ‐ｔ‐ｍチャネルと関連するパケット関連制御チャネル（ＰＡＣＣＨ）上で送信される新たなメッセージで送信される。本明細書では、新たなメッセージは、ＰＮＣＤメッセージまたは新たなメッセージにかかわらず、ＭＢＭＳ隣接セル情報として定義される。
【０００７】
ＭＢＭＳ隣接セル情報（セルＣ、セッションＳ）は、少なくとも（i）隣接セルＣの識別を可能にするパラメータ、（ii）セッションＳがセルＣに送信されるＭＢＭＳベアラ（ｐ‐ｔ‐ｍチャネル）のパラメータ、及び／または、（iii）セッションＳの識別子を含むＭＢＭＳ隣接セル情報メッセージを意味する。この情報は、以下の理由により、すなわち、（i）サービングセルにＭＢＭＳデータの開始を転送した後、利用可能な情報をユーザに可能な限り提供する手段のため、（ii）ＭＢＭＳベアラ（ｐ‐ｔ‐ｍチャネル）が再構成される場合のために、または、特定の隣接セル内に新たなＭＢＭＳサービスの開始が生じた場合のために送信される。この場合、基地局コントローラ（ＢＳＣ）は、パケット関連制御チャネル（ＰＡＣＣＨ）上に新たなベアラ構成を特定の隣接セルにブロードキャストする。更に、この情報は、以下の理由により、すなわち、（iii）セルに入る（例えば、遅い到着）移動局（ＭＳ）（例えば、携帯電話、ＰＤＡなど）が情報を獲得するため、情報の周期的反復が必要とされる場合のために、（iv）無線インターフェース上で起こりうるエラーを考慮するために情報の反復が更に必要とされる場合のために送信される。
【０００８】
ブロードキャストモード及びマルチキャストモード中にデータを受信する従来の方法と関連する主な問題は、ＭＳが再選択する隣接セルにおいて現在のＭＢＭＳセッションが非アクティブである場合に発生する、セルの再選択におけるＭＢＭＳセッション受信中のサービスの途切れである。実際には、ＭＳがこのセルを再選択した後、このセル内でこのＭＢＭＳセッションの確立を要求することが必要となる。更に、ＭＳがこのＭＢＭＳセッションを獲得できない期間中、このセル内のこのＭＢＭＳセッションを確立する必要性がネットワークに要求される。
【０００９】
従って、ＭＳがサービングセルにおいて受信しているＭＢＭＳセッションが、ＭＳが再選択する隣接セルにおいて継続していない場合に発生するサービスの途切れを最小限にする必要がある。
【非特許文献１】3GPP TS22.146 "Multimedia Broadcast/Multicast Service; Stage 1"
【非特許文献２】3GPP TSG GERAN#21 "Assisted Cell Change during MBMS p‐t‐m Transmission"
【発明のまとめ】
【００１０】
本発明は、ＭＢＭＳセッションが継続していない隣接セルの再選択によるＭＢＭＳセッション受信中のサービスの途切れを最小限にするシステム及び方法に関する。
【００１１】
本発明は、ＭＢＭＳセッション中に動作しているＭＳに対し、ＭＳを現在サービスしているセル内で受信されたＭＢＭＳ隣接セル情報メッセージに基づいて、ＭＳが再選択しようとする隣接セルにおいて現在のＭＢＭＳセッションがアクティブでないことを決定する手段を提供する。本発明は、ＭＳが隣接セルのＩＤと、アクティブであるＭＢＭＳセッションとをネットワークに供給する手段を提供する。  
【００１２】
本発明の好適な実施形態では、継続している送信が、ＭＳが選択しようとする隣接セル内では確立されていない場合において、ネットワークには、ＭＢＭＳセッションの送信を開始するための手段が提供される。更に、このセッションに対するＭＢＭＳベアラが前に確立されていなかった場合、ネットワークには、このセッションに対してＭＢＭＳベアラを隣接セル内で迅速に確立及び／または割り当てる機能が提供される。このことは、セッションが非アクティブである特定の隣接セルへ少なくとも１つのＭＳが移動しようとしているという充分な教示をサービングセル内の少なくとも１つのＭＳからネットワークが受信した場合に発生する。
【００１３】
本発明の好適な実施形態では、ＭＳは、現在のＭＢＭＳがターゲットセル内で進行中でないことを決定した場合、ＭＳは、このことを、ＲＬＣ／ＭＡＣメッセージ内でターゲットセルのＩＤ及びＭＢＭＳセッションを示すことによってネットワークに通知する。この場合、移動局がセルを再選択する前にＭＢＭＳチャネルを割り当てることができる。結果として、ＭＢＭＳサービスが利用できない時間は最小限になり、従って、損失データの減少が達成される。この減少されたデータ損失はサービス品質を改善し、かつ／または、ポイントツーポイント修復によって生じるネットワーク負荷を減少させる。
【００１４】
本発明のその他の目的及び特徴は、添付図面と併せて考慮される以下の詳細な説明から明らかになる。しかし、当然のことながら、図面は、本発明を制限する定義としてではなく例示の目的のためにのみ設計されている。本発明を制限する定義については、特許請求の範囲を参照すべきである。当然のことながら、更に、図面は、本明細書で記述された構造及び手続きを単に概念的に示すものである。
【００１５】
本発明の前述した利点及び特徴、並びにその他の利点及び特徴は、添付図面を参照して、以下に与えられる本発明の好適な実施形態の詳細な説明から明らかになる。
【現在好適な実施形態の詳細な説明】
【００１６】
本発明は、ＭＳが再選択する隣接セルにおいて現在のＭＢＭＳセッションがアクティブでない場合に生じるＭＢＭＳセッション受信中のサービスの途切れを最小限にするシステム及び方法である。
【００１７】
図２に関して、図２は、複数の移動端末または局１０を含む例示的な無線通信システム１の一実施形態を示す簡略化ブロック図である。２つの移動局（ＭＳ）１０が示され、一方はＭＳ＃１と指定され、他方はＭＳ＃２と指定されている。図２には、例えば、公衆交換電話網（ＰＳＴＮ）のような通信ネットワークに接続している移動交換局（ＭＳＣ）３と、少なくとも１つの基地局コントローラ（ＢＳＣ）４と、所定の無線インターフェース規格に従って移動局１０へ物理チャネル及び論理チャネルの両方をフォワードまたはダウンリンク方向に送信する複数の送受信基地局（ＢＴＳ）５とを有する例示的なネットワークオペレータ２をも示す。携帯発信アクセスリクエスト及びトラフィックと、本発明を実施する信号とを伝達する逆またはアップリンク通信パスは移動局１０からネットワークオペレータまで存在すると仮定する。ＢＴＳ５は、異なるサイズ、異なる周波数などとすることができるセルを既定する。
【００１８】
無線インターフェース規格は時分割多重アクセス（ＴＤＭＡ）無線インターフェースに準拠することができ、ネットワークを、ユニバーサル移動通信システム（ＵＭＴＳ）ネットワークまたはその他のタイプのネットワークとすることができる。しかし、本発明の教示は、その他のネットワークタイプと同様に符号分割多重アクセス（ＣＤＭＡ）ネットワークにも等しく適用する。
【００１９】
ネットワークオペレータ２は、ショートメッセージサービス（ＳＭＳ）メッセージのような、ＭＳ１０に対するメッセージを受信し転送するメッセージサービスセンター（ＭＳＣＴ）６、または、電子メール及び補足データサービスを含む任意の無線メッセージング技術を含むことができる。更に、画像メッセージ、映像メッセージ、音声メッセージ、テキストメッセージ、実行ファイルなど、及びそれらの組み合わせをネットワークと移動局との間で転送することができるマルチメディアメッセージングサービス（ＭＭＳ）として知られ、開発中にあるようなＳＭＳへの機能強化を用いることができる。
【００２０】
移動局（ＭＳ）１０は、表示装置１４の入力に結合された出力と、キーボードまたはキーパッド１６の出力に結合された入力とを有するマイクロ制御ユニット（ＭＣＵ）１２を典型的に含む。ＭＳ１０を、セルラー、携帯電話またはパーソナルコミュニケータのようなハンドヘルド無線電話と考えることができ、ＭＳ１０は、音声通信を行うマイクロホン及びスピーカ（図示せず）を有することができる。ＭＳ１０を、使用中、別の装置に接続されるカードまたはモジュールにも含めることができる。例えば、ＭＳ１０を、ラップトップまたはノート型コンピュータのような携帯用データプロセッサ、または、ユーザによって装着できるコンピュータ内に使用中取り付けられるＰＣＭＣＩＡまたは類似のタイプのカードまたはモジュールに含めることができる。
【００２１】
ＭＣＵ１２は、オペレーティングプログラムを格納する読み取り専用メモリ（ＲＯＭ）と、必要なデータ、スクラッチパッドメモリ、受信データパケット、及び、送信のために用意されたデータパケットなどを一時的に格納するランダムアクセスメモリ（ＲＡＭ）とを含む何らかのタイプのメモリ１３を含むか、または、これに結合されていると仮定される。メモリ１３は、セルの再選択を実行するＭＳ１０によって用いられる様々なパラメータを格納すると仮定される。
【００２２】
別個の取り外し可能なＳＩＭ（図示せず）をも設けることができる。ＳＩＭは、例えば、好ましい公衆移動網（ＰＬＭＮ）リスト及びその他の加入者関連情報を格納する。ＲＯＭは、本発明の目的のため、本発明の好適な実施形態に従って動作するよう要求されるソフトウェアルーチンをＭＣＵ１２に実行させるようにするプログラムを格納すると仮定される。
【００２３】
ＭＳ１０は、デジタル信号プロセッサ（ＤＳＰ）１８または等価な高速プロセッサと、ネットワークオペレータ２と通信するアンテナ２４に結合された送信機２０及び受信機２２から成る無線送受信機とを含む無線区域をも含む。受信機２２は、セルを再選択する処理に用いられる信号測定を行うために用いられる。
【００２４】
本発明によれば、ＭＳがパケットアイドルモードにある間、ブロードキャスト制御チャネル（ＢＣＣＨ）割り当てに示されたすべてのＢＣＣＨ搬送波は移動局（ＭＳ）１０によって監視され、パケットアイドルモード中、ＭＢＭＳベアラ（ｐ‐ｔ‐ｍ）のＩＤは受信される。最も高い信号レベルを有する非サービス中のＢＣＣＨ搬送波を有するセルのリストは、少なくともＢＣＣＨ搬送波割り当て測定に規定された所定の実行平均期間ごとに更新される。本明細書では、ＭＳが新たなモードで動作すると仮定される。更に、3GPP TS45.008 V6.9.0 (2004‐08) TS「Radio Access Network；Radio subsystem link control」（リリース６）で定義されているように、ＭＳは、最も高い信号レベルを有する非サービス中のセルの各ＢＣＣＨ搬送波に対するセルの再選択に影響を与えるパラメータを含むＢＣＣＨデータブロックを復号化しようとする。
【００２５】
ＭＳ１０は、送受信基地局識別コード（ＢＳＩＣ）及びＢＣＣＨ搬送波の隣接セルインデックスを示す。このことは、これら送受信基地局識別コード（ＢＳＩＣ）及びＢＣＣＨ搬送波の隣接セルインデックスをアップリンク無線リンク制御／メディアアクセス制御（ＲＬＣ／ＭＡＣ）メッセージ例えばパケットダウンリンク肯定応答／否定応答（ＡＣＫ／ＮＡＣＫ）に追加するか、または、ネットワークに送信される新たなメッセージを用いることによって達成される。結果として、ＢＳＩＣと、ＭＳの隣接非サービス中のＢＣＣＨ搬送波の隣接セルインデックスとを搬送するアップリンクＲＬＣ／ＭＡＣメッセージを受信の際、ＭＳ１０が再選択する可能性が最も高いセルのＩＤがネットワークに供給される。
【００２６】
本発明の実施形態では、ＭＳ１０が現在のサービングセル内のＭＢＭＳセッションを監視している間、受信された隣接ＭＢＭＳセル情報に基づいてＭＢＭＳセッションがターゲットセル内でアクティブにされていないと仮定することができる。本発明のこの実施形態によれば、再選択が起動されると、ＭＳ１０は、ターゲットセル及びＭＢＭＳサービスＩＤ（例えば、ＢＳＩＣ、隣接セルインデックス及び一時的なＭＢＭＳグループＩＤ（ＴＭＧＩ））を示す。このことは、この情報をＲＬＣ／ＭＡＣメッセージ例えばパケットダウンリンクＡＣＫ／ＮＡＣＫ内に入れて、または、新たなメッセージを用いてネットワークに送信することによって達成される。ネットワークが割り当てできるリソースを有する場合、ネットワークは、ＭＳによって示されたＭＢＭＳセッションに対してリソースを割り当て、パケットダウンリンクＡＣＫ／ＮＡＣＫまたは新たなメッセージを受信の際、対応のＭＢＭＳ隣接セル情報をＭＳ１０に送信することができる。次に、ＭＳ１０によってＭＢＭＳ隣接セル情報を受信すると、ＭＳ１０は、ＭＢＭＳ隣接セル情報によって示されたターゲットセルを再選択する。
【００２７】
好ましくは、ＭＳ１０は、割り当てられたＭＢＭＳリソースがターゲットセル内にあることを示すＭＢＭＳ隣接セル情報をネットワークから受信するまでセルの再選択を遅延することによってセル再選択ルールに違反することができる。結果として、ＭＳ１０がソースセル内に長くとどまり過ぎないようにする手段が必要とされる。このことは、新たなタイマを用いることによって達成される。このタイマは、ＭＳにおいてセルの再選択基準が起動されるときに開始される。適切なＭＢＭＳ隣接セル情報を受信すると、移動局はセルを再選択し、ターゲットセルにおいてＭＢＭＳデータの通常の受信を継続する。適切なＭＢＭＳ隣接セル情報が受信される前に、監視されている所定の期限が切れる場合、３ＧＰＰ  ＴＳ  ４４．０６０，「Ｒａｄｉｏ  Ｌｉｎｋ  Ｃｏｎｔｒｏｌ／Ｍｅｄｉｕｍ  Ａｃｃｅｓｓ  Ｃｏｎｔｒｏｌ（ＲＬＣ／ＭＡＣ）  ｐｒｏｔｏｃｏｌ；Ｓｔａｇｅ３」及び３ＧＰＰ  ＴＳ  ４４．０１８「Ｒａｄｉｏ  Ｒｅｓｏｕｒｃｅ  Ｃｏｎｔｒｏｌ（ＲＲＣ）  Ｐｒｏｔｏｃｏｌ；Ｓｔａｇｅ３」に指定されているように、ＭＳ１０は、ターゲットセルの共通チャネルに対して通常のセル再選択を実行することができる。
【００２８】
代替の実施形態では、所定のパラメータを用いることによってＭＳはソースセル内に長くとどまり過ぎないようにされる。例えば、適切なＭＢＭＳ隣接セル情報が受信されないままであるが、所定のパラメータは負の値を持ち、または、一定のデシベルレベルよりも高い信号レベルを有する「より良い」セルが現れた場合、移動局は通常のセル再選択を実行する。好適な実施形態では、所定のパラメータはＣ１すなわちパス損失基準である。
【００２９】
ＭＳがソースセル内に長くとどまり過ぎないようにする更なる実施形態では、最良の再選択候補が「サービングセルよりも非常に良く」なる場合に、すなわち、隣接セルのＢＣＣＨ搬送波の信号レベルがソースセルのＢＣＣＨ搬送波の信号レベルよりも非常に高い場合に直接セル再選択が発生することを確実にする再選択履歴が用いられる。再選択履歴は、現在のセルのＢＣＣＨ搬送波の測定された信号強度にオフセット値を追加することによって達成される。隣接セルのＢＣＣＨ搬送波の測定結果は、隣接セルの測定された信号レベルと、セル再選択が発生できる前のオフセット値との合計を上回る必要がある。このことは、多少の追加の再選択の遅延につながる。結果として、チャネル間干渉のレベルに適度な増大が生じる。一部において、このことは、ＭＳ１０が肯定応答を周期的に送信し、サービングセルの計画されたカバレッジエリアの少し外側で動作することによる。本発明のその他の実施形態では、このような追加の干渉は、取るに足らないと見なされる。しかし、再選択基準が最初に起動され、ネットワークが再選択基準の起動を知らされたときから、再選択のターゲットセルに対する隣接セル情報がネットワークに供給されるまで、及び／または、ＭＳ１０がターゲットセルを実際に再選択するまで測定される期間中にＭＳ１０が肯定応答の送信を停止する場合に、この干渉の発生を回避することができる。更に、ネットワークは、この特定のＭＳ１０がＡＣＫを送信するのではなくソースセルからＭＢＭＳデータを依然として受信しているということを考慮するため、前述の期間中、ブロードキャストされたＭＢＭＳ隣接セル情報の更なる反復を送信することができる。この実施形態によれば、最大数の反復を送信することができ、または、特定のＭＳからの最近のＡＣＫに基づいてネットワークは充分な数の反復を推定することができる。
【００３０】
図３は、本発明による方法のステップを示すフローチャートである。ステップ３００に示されるように、ＭＢＭＳセッションがアクティブであるセルにおいてＭＢＭＳセッションを監視する。本明細書では、ＭＳがパケットアイドルモードにある間、ＢＣＣＨ割り当てに示されたすべてのブロードキャスト制御チャネル（ＢＣＣＨ）搬送波は移動局（ＭＳ）によって監視され、パケットアイドルモード中、ＭＢＭＳベアラ（ｐ‐ｔ‐ｍ）のＩＤは受信される。
【００３１】
再選択基準が起動された後、ステップ３１０に示されるように、ＭＳ１０は、ターゲットセル及びＭＢＭＳサービスＩＤ（例えば、ＢＳＩＣ、隣接セルインデックス及び一時的なＭＢＭＳグループＩＤ（ＴＭＧＩ））を示す。このことは、この情報をＲＬＣ／ＭＡＣメッセージ例えばパケットダウンリンクＡＣＫ／ＮＡＣＫ内に入れて、または、新たなメッセージを用いてネットワークに送信することによって達成される。次に、ステップ３２０に示されるように、ネットワークが、ＭＳに割り当てできるリソースを有する場合、ネットワークは、ＭＳによって示されたＭＢＭＳセッションに対してリソースを割り当てる。
【００３２】
次に、ステップ３３０に示されるように、パケットダウンリンクＡＣＫ／ＮＡＣＫまたは新たなメッセージを受信の際、対応のＭＢＭＳ隣接セル情報をＭＳに送信する。次に、ステップ３４０に示されるように、ＭＢＭＳ隣接セル情報を受信の際、ＭＳはターゲットセルを再選択する。
【００３３】
従って、本発明の好適な実施形態に適用される本発明の基本となる新規な特徴を図示し、説明し、指摘したが、当然のことながら、示した装置の形式及び細部と、その動作とに様々な省略、置き換え及び変更を、本発明の意図から逸脱することなく当業者によって行うことができる。例えば、同じ結果を達成するようにほぼ同じ機能をほぼ同じように実行するこれらの要素及び／または方法のステップのすべての組み合わせが本発明の範囲内にあることは明確に意図されている。更に、本発明の開示した形式または実施形態のいずれかに関連して図示及び／または説明した構造及び／または要素及び／または方法のステップを、設計選択の一般的な事柄としてその他の開示、説明または提案した形式または実施形態のいずれかに組み入れることができることを認識すべきである。従って、特許請求の範囲によって示されたようにのみ本発明が制限されることを意図する。
【図面の簡単な説明】
【００３４】
【図１】所定のセッションに対する隣接セル間のマルチメディアブロードキャスト／マルチキャスト（ＭＢＭＳ）データの受信を示す例示的な流れ図である。
【図２】本発明の方法が実施される無線通信システムの例示的なブロック図である。
【図３】本発明の一実施形態による方法の各ステップを示すフローチャートである。
【図１】
2008514047.tif 000003
【図２】
2008514047.tif 000004
【図３】
2008514047.tif 000005
【国際調査報告】
2008514047.tif 000006